(57)【要約】【課題】リレーに異物が混入した場合であっても正常な電力供給を行うことが可能な電源装置を提供する。【解決手段】電源装置は、商用電源５００に接続されるリレー１０２、１０３と、商用電源５００からリレー１０２、１０３を介して供給される電力を負荷４００に供給する電源部１００と、電源部１００の出力電圧Ｖｏを検出する出力電圧検出部１１６と、リレー１０２、１０３の開閉を制御する制御部３００と、を備える。制御部３００は、リレー１０２、１０３を閉状態にしたときの出力電圧Ｖｏにより、リレー１０２、１０３の導通状態を判断する。リレー１０２、１０３が導通不良の場合、制御部３００は、リレー１０２を閉状態にした後に、リレー１０３を閉状態にすることで、リレー１０３に混入した異物を除去して導通不良を解消する。【選択図】図２
2018019461.tif 000002
【特許請求の範囲】
【請求項１】
商用電源のライブラインとニュートラルラインの一方に接続され、可動な接点を有する第１のスイッチ素子と、
前記ライブラインと前記ニュートラルラインの他方に接続され、可動な接点を有する第２のスイッチ素子と、
前記商用電源から前記第１、第２のスイッチ素子を介して供給される電力を後段の装置に供給する電源部と、
前記電源部の入力側及び出力側の少なくとも一方の通電状態を検出する検出手段と、
前記第１、第２のスイッチ素子の各々の開閉を制御する制御手段と、を備え、
前記制御手段は、前記第１、第２のスイッチ素子を閉状態にしたときの前記検出手段が導通不良を検出している場合、前記第１のスイッチ素子を閉にした状態で、前記第２のスイッチ素子を開と閉とを繰り返す状態にすることを特徴とする、
電源装置。
【請求項２】
前記制御手段は、前記第２のスイッチ素子を開と閉とを繰り返す状態にした後でも、前記検出手段が導通不良を検出している場合に、前記第２のスイッチ素子を閉状態にした状態で、前記第１のスイッチ素子を開と閉とを繰り返す状態にすることを特徴とする、
請求項１記載の電源装置。
【請求項３】
前記制御手段は、前記第２のスイッチ素子を開と閉とを繰り返す状態にした後に、前記第１のスイッチ素子と前記第２のスイッチ素子が閉になっている状態で、前記検出手段により導通状態を確認することを特徴とする、
請求項１記載の電源装置。
【請求項４】
前記制御手段は、前記第１のスイッチ素子と前記第２のスイッチ素子の一方を閉にした状態で他方を開と閉とを繰り返す状態にすることを、交互に複数回繰り返すことを特徴とする、
請求項１乃至３のいずれか１項記載の電源装置。
【請求項５】
前記検出手段が導通状態であることを検出すると、前記第１のスイッチ素子と前記第２のスイッチ素子の一方を閉にした状態で他方を開と閉とを繰り返す状態にすることを交互に複数回繰り返すことを終了することを特徴とする
請求項４項記載の電源装置。
【請求項６】
前記第１、第２のスイッチ素子はリレーであることを特徴とする、
請求項１乃至５のいずれか１項記載の電源装置。
【請求項７】
前記検出手段は、前記電源部の出力側の電圧を検出し、
前記制御手段は、前記電源部の前記出力側の電圧に基づいて前記第１、第２のスイッチ素子の導通状態を判断することを特徴とする、
請求項１乃至６のいずれか１項記載の電源装置。
【請求項８】
前記検出手段は、前記電源部の入力側の電圧を検出し、
前記制御手段は、前記電源部の前記入力側の電圧に基づいて前記第１、第２のスイッチ素子の導通状態を判断することを特徴とする、
請求項１乃至６のいずれか１項記載の電源装置。
【請求項９】
前記検出手段は、前記電源部の入力側の電力のゼロクロスタイミングを検出し、
前記制御手段は、前記ゼロクロスタイミングに基づいて前記第１、第２のスイッチ素子の導通状態を判断することを特徴とする、
請求項８項記載の電源装置。
【請求項１０】
前記電源部は、前記商用電源から供給される電力を前記後段の装置に供給する電力に変換することを特徴とする、
請求項１乃至９のいずれか１項記載の電源装置。
【請求項１１】
請求項１乃至１０のいずれか１項記載の電源装置を搭載しており、
前記電源部から供給される電力により動作して、シートに画像を印刷する印刷手段を備える、
画像形成装置。
【請求項１２】
商用電源のライブラインとニュートラルラインの一方に接続され、可動な接点を有する第１のスイッチ素子と、前記ライブラインと前記ニュートラルラインの他方に接続され、可動な接点を有する第２のスイッチ素子と、前記商用電源から前記第１、第２のスイッチ素子を介して供給される電力を後段の装置に供給する電源部と、前記電源部の入力側及び出力側の少なくとも一方の通電状態を検出する検出手段と、を備える電源装置により実行される方法であって、
前記第１、第２のスイッチ素子を閉状態にしたときの前記検出手段が導通不良を検出している場合、前記第１のスイッチ素子を閉にした状態で、前記第２のスイッチ素子を開と閉とを繰り返す状態にすることを特徴とする、
電源制御方法。
【発明の詳細な説明】
【技術分野】
【０００１】
本発明は、プリンタ、複写機、複合機等の画像形成装置等の電気機器における、電源装置の制御に関する。
【背景技術】
【０００２】
電気機器は、省エネルギーの実現のために、様々な消費電力を減らすための技術が導入されている。例えば画像形成装置は、待機中の消費電力を抑制する省電力モードを設定可能なものが多い。画像形成装置は、商用電源からの電力供給経路上にリレー等のスイッチ素子を設け、省電力モード時にスイッチ素子を開状態にして動作不要な部分への電力供給を遮断する（特許文献１乃至３）。特許文献１では、商用電源の１つの電源ラインにスイッチ素子が設けられる。特許文献２、３では、商用電源の２つの電源ラインにそれぞれスイッチ素子が設けられる。
【先行技術文献】
【特許文献】
【０００３】
【特許文献１】特開２００５−９６３００号公報
【特許文献１】特開２００２−２７８３５２号公報
【特許文献１】特開２０１１−２３７４８０号公報
【発明の概要】
【発明が解決しようとする課題】
【０００４】
スイッチ素子にリレーを用いる場合、リレーの筐体内に樹脂性の異物が混入することがある。混入した異物が振動や静電気で接点部に移動すると、リレーに導通不良が発生する。リレーの導通不良は、電気機器への正常な電力供給の妨げとなる。
【０００５】
本発明は、上記の問題に鑑み、リレー等のスイッチ素子に異物が混入した場合であっても正常な電力供給を行うことが可能な電源装置を提供することを主たる課題とする。
【課題を解決するための手段】
【０００６】
本発明の電力装置は、商用電源のライブラインとニュートラルラインの一方に接続され、可動な接点を有する第１のスイッチ素子と、前記ライブラインと前記ニュートラルラインの他方に接続され、可動な接点を有する第２のスイッチ素子と、前記商用電源から前記第１、第２のスイッチ素子を介して供給される電力を後段の装置に供給する電源部と、前記電源部の入力側及び出力側の少なくとも一方の通電状態を検出する検出手段と、前記第１、第２のスイッチ素子の各々の開閉を制御する制御手段と、を備え、前記制御手段は、前記第１、第２のスイッチ素子を閉状態にしたときの前記検出手段が導通不良を検出している場合、前記第１のスイッチ素子を閉にした状態で、前記第２のスイッチ素子を開と閉とを繰り返す状態にすることを特徴とする。
【発明の効果】
【０００７】
本発明によれば、スイッチ素子が導通不良の場合に、一つを除いてすべてのスイッチ素子を閉状態にした後に、該一つのスイッチ素子を閉状態にする。これにより、スイッチ素子の接点部に異物が混入した場合であっても、該異物を除去して後段の装置への正常な電力供給を行うことができる。
【図面の簡単な説明】
【０００８】
【図１】画像形成装置の構成図。
【図２】（ａ）乃至（ｃ）は、電源装置の構成図。
【図３】電力モードが切り替わる際の処理を表すフローチャート。
【図４】導通不良解消モードによる処理のタイミングチャート。
【図５】導通不良解消モードによる処理を表すフローチャート。
【図６】導通不良解消モードによる処理のタイミングチャート。
【図７】導通不良解消モードによる処理を表すフローチャート。
【発明を実施するための形態】
【０００９】
以下、図面を参照して実施形態を詳細に説明する。
【００１０】
［第１実施形態］
【００１１】
（全体構成）
図１は、本実施形態の電源装置を搭載する電気機器の一例である画像形成装置の構成図である。画像形成装置は、印刷手段としてのプリンタ部９００及び操作部９２０を備える。操作部９２０は、入力ボタン、入力キー等の入力装置とディスプレイ等の出力装置とを組み合わせたユーザインタフェースである。操作部９２０は、タッチパネルを備えていてもよい。プリンタ部９００は、イエロー（ｙ）の画像形成部、マゼンタ（ｍ）の画像形成部、シアン（ｃ）の画像形成部、及びブラック（ｋ）の画像形成部、中間転写ベルト９０６、給紙カセット９１０、及び定着器９１１を備える。
【００１２】
各色の画像形成部は同じ構成である。ここでは、イエローの画像形成部の構成について説明し、他の色の画像形成部の構成についての説明を省略する。イエローの画像形成部は、感光体９０１ｙ、帯電器９０２ｙ、レーザユニット９０３ｙ、及び現像器９０４ｙを備える。
【００１３】
感光体９０１ｙは、ドラム形状であり、ドラム軸を中心に図中反時計回りに回転する。帯電器９０２ｙは、回転する感光体９０１ｙの表面を均一に帯電させる。レーザユニット９０３ｙは、イエローの画像データに応じて変調されたレーザ光を、表面が帯電された感光体９０１ｙに照射する。レーザ光の照射により、感光体９０１ｙは、表面にイエローの画像データに応じた静電潜像が形成される。現像器９０４ｙは、イエローの現像剤により感光体９０１ｙ表面の静電潜像を現像する。これにより、感光体９０１ｙは、表面にイエローの画像データに応じたトナー像が形成される。
【００１４】
同様にして、マゼンタの画像形成部の感光体９０１ｍの表面に、マゼンタの画像データに応じたトナー像が形成される。シアンの画像形成部の感光体９０１ｃの表面に、シアンの画像データに応じたトナー像が形成される。ブラックの画像形成部の感光体９０１ｋの表面に、ブラックの画像データに応じたトナー像が形成される。
【００１５】
各感光体９０１ｙ、９０１ｍ、９０１ｃ、９０１ｋは中間転写ベルト９０６に接する。各感光体９０１ｙ、９０１ｍ、９０１ｃ、９０１ｋの中間転写ベルト９０６を挟んだ対向する位置には、一次転写ローラ９０５ｙ、９０５ｍ、９０５ｃ、９０５ｋが設けられる。一次転写ローラ９０５ｙ、９０５ｍ、９０５ｃ、９０５ｋに電圧が印加されることで、各感光体９０１ｙ、９０１ｍ、９０１ｃ、９０１ｋに形成された各色のトナー像が、中間転写ベルト９０６に転写される。中間転写ベルト９０６は、図中時計回りに回転する。中間転写ベルト９０６の回転速度に応じて各感光体９０１ｙ、９０１ｍ、９０１ｃ、９０１ｋからトナー像が転写されることで、中間転写ベルト９０６にはトナー像が重畳して形成される。
【００１６】
中間転写ベルト９０６に形成されたトナー像は、中間転写ベルト９０６の回転により、二次転写内ローラ９０７及び二次転写外ローラ９０８で構成される二次転写部に搬送される。二次転写部には、中間転写ベルト９０６上のトナー像が二次転写部に搬送されるタイミングに合わせて、シート９１３が搬送される。二次転写部は、二次転写内ローラ９０７と二次転写外ローラ９０８との間に中間転写ベルト９０６及びシート９１３を挟持しながら搬送する。これにより中間転写ベルト９０６からシート９１３へトナー像が転写される。なお、シートは、給紙カセット９１０に収容されており、画像形成部におけるトナー像の形成タイミングに応じて１枚ずつ給紙される。シートは、給紙後に斜行等を補正され、タイミングを調整して二次転写部に搬送される。
【００１７】
トナー像が転写されたシート９１３は、定着器９１１に搬送される。定着器９１１は、シート９１３を加熱し、トナー像が柔らかくなったところで加圧することで、シート９１３の表面にトナー像を定着させる。これによりシート９１３への画像形成が終了する。画像形成が終了したシート９１３は、定着器９１１から画像形成装置の外部へ排出される。
【００１８】
このような構成の画像形成装置は、電力モードに、画像形成時の通常電力モードと、画像形成を一定時間行わないことで切り替わる待機時の省電力モードと、を備える。省電力モードでは、画像形成装置は、不要な電力供給を停止して消費電力を低下させる。
【００１９】
（電源装置）
図２は、このような画像形成装置に電力を供給する電源装置の構成図である。電源装置は、画像形成装置に内蔵されており、商用電源５００から供給される電力を、画像形成装置内の各部用の電力に変換して供給する。図２では、３つの電源装置の構成例を示す。いずれの構成であっても、本実施形態の画像形成装置に適用可能である。
【００２０】
図２（ａ）の電源装置は、ノイズフィルタ１０１、リレー１０２、１０３、電源部１００、補助電源部２００、及び制御部３００を備え、商用電源５００から供給される電力を変換して、後段の装置である負荷４００に供給する。図２（ａ）では、イエローの画像形成部を含む負荷４００への電力供給について説明するが、他の色の画像形成部、定着器９１１、シート９１３を搬送するための搬送系統も、負荷として電源装置から電力が供給される。
【００２１】
ノイズフィルタ１０１は、商用電源５００の電源ライン（ライブラインＬとニュートラルラインＮ）に接続されて、商用電源５００から供給される電力に含まれるノイズを除去する。リレー１０２、１０３は、それぞれ可動の接点を有しており、ノイズフィルタ１０１を介して商用電源５００のライブラインＬとニュートラルラインＮのそれぞれに接続される第１、第２のスイッチ素子である。本実施形態では、２つのリレー１０２、１０３が商用電源５００のライブラインＬとニュートラルラインＮに接続される。リレー１０２、１０３は、電源部１００に接続されており、商用電源５００から供給される電力を電源部１００に供給する。電源部１００は、リレー１０２、１０３を介して商用電源５００から供給される電力から、負荷４００を動作させるための内部電圧を生成して供給する。本実施形態では、電源部１００が生成する内部電圧はＤＣ２４［Ｖ］である。電源部１００の詳細は後述する。
【００２２】
補助電源部２００は、ノイズフィルタ１０１を介して商用電源５００から供給される電力から、ＤＣ５［Ｖ］の内部電圧を生成して制御部３００に供給する。制御部３００は、画像形成装置内の各部の動作を制御して、画像形成処理の制御を行う。特に本実施形態では、制御部３００は、リレー１０２、１０３をそれぞれ独立に開閉制御する。補助電源部２００及び制御部３００は、省電力モード時であっても常時動作する。省電力モード時には、制御部３００は、リレー１０２、１０３を開状態にして、電源部１００への電力供給を遮断させる。通常電力モード時には、制御部３００は、リレー１０２、１０３を閉状態にして、電源部１００へ電力を供給させる。従って、通常電力モード時に比べて省電力モード時には、画像形成装置における消費電力が低減する。
【００２３】
負荷４００は、感光体９０１ｙを回転させる駆動回路９３１ｙ、帯電器９０２ｙに高電圧を印加する帯電回路９３２ｙ、現像器９０４ｙに高電圧を印加する現像回路９３４ｙ、その他画像形成時に動作する部材を備える。負荷４００は、電源部１００から供給される電力により、制御部３００からの制御信号に応じて動作する。
【００２４】
電源部１００は、整流素子１０４、力率改善回路１２０、コンバータ１３０、及び電源制御部１１５を備える。電源部１００は、電源制御部１１５により動作が制御される。
【００２５】
整流素子１０４は、商用電源５００から供給される交流電圧を整流して力率改善回路１２０に供給する。力率改善回路１２０はインダクタ１０６、ダイオード１０８、コンデンサ１０９、ＦＥＴ（Field effect transistor）１０７、及び電流検出抵抗１１０を備える。力率改善回路１２０は、電源制御部１１５が電流検出抵抗１１０の電流波形をモニタしながら入力電流波形が正弦波に近づくようにＦＥＴ１０７のスイッチングを制御することで、コンデンサ１０９の電圧をおよそＤＣ４００［Ｖ］の一定に保っている。力率改善回路１２０は、コンバータ１３０に接続される。
【００２６】
コンバータ１３０はＦＥＴ１１２、トランス１１１、ダイオード１１３、コンデンサ１１４、及び出力電圧検出部１１６を備える。コンバータ１３０は、出力電圧検出部１１６が検出する出力電圧Ｖｏに基づいて、電源制御部１１５がＦＥＴ１１２のスイッチングを制御することで、出力電圧ＶｏをＤＣ２４［Ｖ］の一定に保っている。
【００２７】
制御部３００は、上述の電力モードに応じたリレー１０２、１０３の開閉制御の他に、電源部１００の入力側及び出力側の少なくとも一方の通電状態（電圧）に応じてリレー１０２、１０３の開閉制御を行う。例えば、出力電圧検出部１１６の検出結果である出力電圧Ｖｏ（電源部１００の出力側の通電状態）が所定値以下の場合、制御部３００は、リレー１０２、１０３のいずれかに導通不良が発生したと判断する。導通不良の原因としては、リレー１０２、１０３への異物混入が考えられる。この場合、制御部３００は、導通不良を解消するために、リレー１０２、１０３を導通不良解消モードで動作させる。導通不良解消モードについては後述する。
【００２８】
図２（ｂ）の電源装置は、図２（ａ）の電源装置に入力電圧検出部１１７を追加した構成である。図２（ａ）の電源装置と同様の構成については説明を省略する。入力電圧検出部１１７は、リレー１０２、１０３と電源部１００との間、つまり電源部１００の入力側の通電状態（電圧）を検出する。制御部３００は、入力電圧検出部１１７の検出結果に応じてリレー１０２、１０３の導通状態を判断する。入力電圧検出部１１７の検出結果によりリレー１０２、１０３のいずれかに導通不良が発生したと判断する場合、制御部３００は、導通不良を解消するために、リレー１０２、１０３を導通不良解消モードで動作させる。
【００２９】
図２（ｃ）の電源装置は、図２（ａ）の電源装置にゼロクロス検出部１１８を追加した構成である。図２（ａ）の電源装置と同様の構成については説明を省略する。ゼロクロス検出部１１８は、リレー１０２、１０３と電源部１００との間で、商用電源５００から供給される交流電圧が０以外の値から０になること（ゼロクロスタイミング）を検出する。制御部３００は、ゼロクロス検出部１１８の検出結果（電源部１００の入力側の通電状態）に応じてリレー１０２、１０３の導通状態を判断する。ゼロクロス検出部１１８の検出結果によりリレー１０２、１０３のいずれかに異物が混入して導通不良が発生したと判断する場合、制御部３００は、導通不良を解消するために、リレー１０２、１０３を導通不良解消モードで動作させる。
【００３０】
なお、図２で示した構成の他にも、電源装置は、電源部１００の入力側及び出力側の少なくとも一方の状態を検出することでリレー１０２、１０３の導通状態が判断可能な構成を有していれば、本実施形態の画像形成装置に用いることができる。
【００３１】
（運用形態）
図３は、省電力モードから通常電力モードに電力モードが切り替わる際の処理を表すフローチャートである。制御部３００は、操作部９２０或いはネットワーク経由で外部装置から入力される信号に応じて電力モードを省電力モードから通常電力モードに切り替える。ここでは、図２（ａ）の電源装置を用いる場合の処理を説明する。
【００３２】
制御部３００は、リレー１０２を閉状態にし、引き続きリレー１０３を閉状態にする（Ｓ１００１、Ｓ１００２）。リレー１０２、１０３を閉状態にする順序はこれに限らず、リレー１０３を先に閉状態にしてもよい。制御部３００は、リレー１０２、１０３の導通状態を出力電圧検出部１１６の検出結果により判断する（Ｓ１００３）。例えば、制御部３００は、出力電圧検出部１１６の検出結果である出力電圧Ｖｏが所定値（例えばＤＣ５［Ｖ］）以上であるか否かによりリレー１０２、１０３の導通状態を判断する。出力電圧ＶｏがＤＣ５［Ｖ］以上であれば、制御部３００は、リレー１０２、１０３が導通状態であると判断する（Ｓ１００３：Y）。リレー１０２、１０３が導通状態である場合、制御部３００は、電力モードを省電力モードから通常電力モードへ切り替える処理を終了して、画像形成処理を実行可能にするための準備動作を行う。
【００３３】
出力電圧ＶｏがＤＣ５［Ｖ］未満であれば、制御部３００は、リレー１０２、１０３のいずれかに導通不良が発生していると判断する（Ｓ１００３：N）。リレー１０２、１０３のいずれかに導通不良が発生している場合、制御部３００は、電源部１００が商用電源５００から正常に電力供給されずに動作していない可能性があると判断する。この場合、制御部３００は、リレー１０２、１０３を開状態にして導通不良解消モードによる処理を行う（Ｓ１００４、Ｓ２０００）。導通不良解消モードの終了後に、制御部３００は、電力モードを省電力モードから通常電力モードへ切り替える処理を終了し、エラーがなければ画像形成処理を実行可能にするための準備動作を行う。
【００３４】
図４は、導通不良解消モードによる処理のタイミングチャートである。同図において、ＯＮはリレーの閉状態を表し、ＯＦＦはリレーの開状態を表す。導通不良解消モードでは、リレー１０２、１０３の一方を閉状態にしておき、他方を開閉する(一方が閉になった時点で既に他方が開になっている状態を含む)。これを両方のリレー１０２、１０３に対して行う。
【００３５】
図４では、導通不良解消モードによる処理が開始されると、制御部３００は、まずリレー１０２を閉状態にする。制御部３００は、リレー１０２を閉状態にしている間に、リレー１０３を複数回開閉する。図４ではリレー１０３が２回開閉されるが、３回以上でも構わない。このリレー１０２を閉状態にした後にリレー１０３を１回開閉するまでの一連の処理が第１のパターン（時刻ｔ１１〜ｔ１２）である。
【００３６】
第１のパターン後に制御部３００は、リレー１０２、１０３を開状態にした後に、リレー１０３を閉状態にする。制御部３００は、リレー１０３を閉状態にしている間に、リレー１０２を複数回開閉する。図４ではリレー１０２が２回開閉される。このリレー１０３を閉状態にした後にリレー１０２を２回開閉するまでの一連の処理が第２のパターン（時刻ｔ１３〜ｔ１４）である。
【００３７】
制御部３００は、時刻ｔ１５〜ｔ１６で、再度、第１のパターンの処理を行い、時刻ｔ１７〜ｔ１８で第２のパターンの処理を行う。制御部３００は、第１のパターン及び第２のパターンの終了のタイミングである時刻ｔ１２、ｔ１４、ｔ１６、ｔ１８において、リレー１０２、１０３の導通状態を確認する。導通状態の確認の結果、リレー１０２、１０３が導通不良のままである場合、制御部３００は、エラーが発生したことをユーザに報知（時刻ｔ１９）して導通不良解消モードによる処理を終了する（時刻２０）。導通状態の確認の結果、リレー１０２、１０３が導通する場合、制御部３００は、導通を確認した時点（時刻ｔ１２、ｔ１４、ｔ１６、ｔ１８）で導通不良解消モードによる処理を終了する（時刻２０）。このように制御部３００は、第１のパターンの処理と、第２のパターンの処理とを交互に複数回繰り返し行う。
【００３８】
図５は、導通不良解消モードによる処理を表すフローチャートである。このフローチャートは、図４のような動作を行うための処理を表す。制御部３００は、第１のパターン、第２のパターンで先に閉状態にするリレーをリレーＡ、開閉するリレーをリレーＢとして処理を行う。また、制御部３００は、パターン動作の実行回数をＭ、各パターン内のリレーＢの開閉の回数をＮとして処理を行う。
【００３９】
導通不良解消モードによる処理を開始すると、制御部３００は、リレーＡにリレー１０３を設定し、リレーＢにリレー１０２を設定する（Ｓ２００１）。制御部３００は、パターン動作の実行回数Ｍ及び各パターン内のリレーＢの開閉の回数Ｎを「０」にリセットする（Ｓ２００２、Ｓ２００３）。
【００４０】
制御部３００は、回数Ｍ、回数Ｎのリセット後にリレーＡとリレーＢの設定を入れ替える（Ｓ２００４）。すなわち制御部３００は、リレーＡにリレー１０２を設定し、リレーＢにリレー１０３を設定する。
【００４１】
制御部３００リレーＡ（リレー１０２）を閉状態にする（Ｓ２００５）。リレーＡを閉状態にした制御部３００は、リレーＡ（リレー１０２）を閉状態にしたまま、リレーＢ（リレー１０３）を閉状態にする（Ｓ２００６）。遅れて閉状態にしたリレーＢ（リレー１０３）の接点部に異物が混入する場合、リレーＢ（リレー１０３）を閉状態にすることで、物理的に異物を潰したり、異物を移動させる効果に加えて、接点部で発生するアーク放電によって異物を焼損除去することができる。
【００４２】
制御部３００は、リレーＢの開閉の回数Ｎを「１」インクリメントする（Ｓ２００７）。制御部３００は、リレーＢの開閉が２回以上行われたか否かを判断する（Ｓ２００８）。リレーＢの開閉が２回未満である場合（Ｓ２００８：N）、制御部３００は、リレーＢ（リレー１０３）を開状態にする（Ｓ２０１０）。その後、制御部３００は、Ｓ２００６以降の処理を繰り返し行う。Ｓ２００６乃至Ｓ２０１０の処理により、リレーＢが１回開閉される。
【００４３】
リレーＢの開閉の回数Ｎが２回である場合（Ｓ２００８：Y）、第１のパターンが終了する。この場合、制御部３００は、出力電圧検出部１１６の検出結果に基づいて、リレー１０２、１０３の導通状態を確認する（Ｓ２００９）。導通状態の確認処理は、図３のＳ１００３の処理と同様である。リレー１０２、１０３が導通している場合（Ｓ２００９：Y）、制御部３００は、導通不良解消モードを終了して、画像形成処理を実行可能にするための準備動作を行う。
【００４４】
リレー１０２、１０３が導通不良の場合（Ｓ２００９：N）、制御部３００は、パターン動作の回数Ｍを「１」インクリメントする（Ｓ２０１１）。制御部３００は、リレー１０２、１０３を開状態にして（Ｓ２０１２）、パターン動作の回数Ｍが４回以上か否かを判断する（Ｓ２０１３）。
【００４５】
パターン動作の回数Ｍが４回未満である場合（Ｓ２０１３：N）、制御部３００は、Ｓ２００３以降の処理を繰り返し行う。この場合、Ｓ２００４でリレーＡとリレーＢの設定が入れ替えられる。すなわち制御部３００は、リレーＡにリレー１０３を設定し、リレーＢにリレー１０２を設定する。つまり第２のパターンが実行される。Ｓ２００６の処理では、リレー１０２が、リレー１０３に遅れて閉状態になる。遅れて閉状態にしたリレーＢ（リレー１０２）の接点部に異物が混入する場合、リレーＢ（リレー１０２）を閉状態にすることで、物理的に異物を潰したり、異物を移動させる効果に加えて、接点部で発生するアーク放電によって異物を焼損除去することができる。
【００４６】
パターン動作の回数Ｍが４回である場合（Ｓ２０１３：Y）、第１のパターンによるリレー１０３の異物除去及び第２のパターンによるリレー１０２の異物除去が、それぞれ２回実行されたことになる。この場合、制御部３００は、リレー１０２、１０３の導通が回復不能と判断する。制御部３００は、操作部９２０のディスプレイにエラー表示を行い（Ｓ２０１４）、導通不良解消モードを終了する。
【００４７】
リレー１０２、１０３の接点部に導通不良が発生した場合であっても、上述した導通不良解消モードの処理により、リレー１０２、１０３を順番を入れ替えながら開閉することで、導通不良を解消できる可能性がある。具体的には、一方のリレーを閉状態にした後に他方のリレーを閉状態にすることで、他方のリレーの接点部に混入した異物を物理的に潰す他に、アーク放電による焼損により除去することができる。これにより、リレー１０２、１０３の導通が回復する確率を大幅に増大することができる。
【００４８】
本実施形態の導通不良解消モードでは、第１のパターン、第２のパターンともにリレーの開閉の回数を２回、パターン動作の回数を４回としたが、これらは自由に設定できる。いずれも回数が多いほど異物を除去できる確率が高くなる。
【００４９】
図２（ｂ）の構成の電源装置を用いる場合であっても同様の処理により異物除去が行われる。この場合、リレー１０２、１０３の導通状態の確認時に、制御部３００が入力電圧検出部１１７の検出結果を用いることになる。また、図２（ｃ）の構成の電源装置を用いる場合であっても同様の処理により異物除去が行われる。この場合、リレー１０２、１０３の導通状態の確認時に、制御部３００がゼロクロス検出部１１８の検出結果を用いることになる。これらの構成の場合、出力電圧Ｖｏが安定するまで待機する必要が無いために、導通状態の確認に必要な時間が短縮される。
【００５０】
［第２実施形態］
【００５１】
第２実施形態では、導通不良解消モードにおいて、第１のパターン及び第２のパターンをそれぞれ２回ずつ実行した後にリレー１０２、１０３の導通状態を確認する。第２実施形態の画像形成装置及び電源装置の構成は第１実施形態と同様であるので、説明を省略する。省電力モードから通常電力モードに電力モードが切り替わる際の処理（図３参照）も第１実施形態と同様であるので説明を省略する。
【００５２】
図６は、第２実施形態の導通不良解消モードによる処理のタイミングチャートである。同図において、ＯＮはリレーの閉状態を表し、ＯＦＦはリレーの開状態を表す。制御部３００は、第１実施形態（図４参照）と同様の動作を行う第１のパターン及び第２のパターンをそれぞれ２回ずつ行う（時刻ｔ１１〜ｔ１８）。制御部３００は、２回目の第２のパターンの終了のタイミングである時刻ｔ１８において、リレー１０２、１０３の導通状態を確認する。導通状態の確認の結果、リレー１０２、１０３が導通不良のままである場合、制御部３００は、エラーが発生したことをユーザに報知（時刻ｔ１９）して導通不良解消モードによる処理を終了する（時刻２０）。導通状態の確認の結果、リレー１０２、１０３が導通する場合、制御部３００は、導通を確認した時点で導通不良解消モードによる処理を終了する（時刻２０）。このように制御部３００は、第１のパターンの処理と、第２のパターンの処理とを交互に複数繰り返し行う。
【００５３】
図７は、導通不良解消モードによる処理を表すフローチャートである。このフローチャートは、図６のような動作を行うための処理を表す。第１実施形態と同様に、制御部３００は、第１のパターン、第２のパターンで先に閉状態にするリレーをリレーＡ、開閉するリレーをリレーＢとして処理を行う。また、制御部３００は、パターン動作の実行回数をＭ、各パターン内のリレーＢの開閉の回数をＮとして処理を行う。Ｓ２１０１乃至Ｓ２１０８及びＳ２１１０の処理は、第１実施形態のＳ２００１乃至Ｓ２００８、Ｓ２０１０の処理と同様であるので説明を省略する。
【００５４】
リレーＢの開閉の回数Ｎが２回である場合（Ｓ２１０８：Y）、第１のパターンが終了する。この場合、制御部３００は、パターン動作の回数Ｍを「１」インクリメントする（Ｓ２１０９）。制御部３００は、パターン動作の回数Ｍが４回以上実行されたか否かを判断する（Ｓ２１１１）。パターン動作の回数Ｍが４回未満である場合（Ｓ２１１１：N）、制御部３００は、リレー１０２、１０３を開状態にして（Ｓ２１１５）、Ｓ２１０３以降の処理を繰り返し行う。この場合、Ｓ２００４でリレーＡとリレーＢの設定が入れ替えられる。
【００５５】
パターン動作の回数Ｍが４回である場合（Ｓ２１１１：Y）、第１のパターンによるリレー１０３の異物除去及び第２のパターンによるリレー１０２の異物除去が、それぞれ２回実行されたことになる。制御部３００は、出力電圧検出部１１６の検出結果に基づいて、リレー１０２、１０３の導通状態を確認する（Ｓ２１１２）。導通状態の確認処理は、図３のＳ１００３の処理と同様である。リレー１０２、１０３が導通している場合（Ｓ２１１２：Y）、制御部３００は、導通不良解消モードを終了して、画像形成処理を実行可能にするための準備動作を行う。リレー１０２、１０３が導通不良の場合（Ｓ２１１２：N）、制御部３００は、リレー１０２、１０３の導通が回復不能と判断する。この場合、制御部３００は、リレー１０２、１０３を開状態にして（Ｓ２１１３）、操作部９２０のディスプレイにエラー表示を行い（Ｓ２１１４）、導通不良解消モードを終了する。
【００５６】
以上のような第２実施形態の導通不良解消モードの処理であっても、第１実施形態の導通不良解消モード同様の効果が期待できる。また、第２実施形態の導通不良解消モードの処理も、第１実施形態の導通不良解消モードと同様に、第１のパターン、第２のパターンともにリレーの開閉の回数及びパターン動作の回数を自由に設定することができる。いずれも回数が多いほど異物を除去できる確率が高くなる。また、第２実施形態においても、図２（ｂ）の構成の電源装置、図２（ｃ）の構成の電源装置を用いて同様の処理により異物除去を行うことができる。
【００５７】
第１、第２実施形態の電源装置により、リレー１０２、１０３に導通不良が発生した場合であっても、電源装置を停止させて、正常動作に復帰させることが可能となる。第１実施形態では、リレー１０２、１０３の導通が回復し次第、通常電力モードに復帰することができる。第２実施形態では、リレー１０２、１０３の導通の確認処理回数が第１実施形態よりも少ないために、導通不良解消モードの全体の処理時間を短くなることがある。例えば出力電圧Ｖｏが安定するまでの時間が長い場合、導通の確認に時間がかかるため、第２実施形態の処理の方が第１実施形態の処理よりも短くなることがある。
【図１】
2018019461.tif 000003
【図２】
2018019461.tif 000004
【図３】
2018019461.tif 000005
【図４】
2018019461.tif 000006
【図５】
2018019461.tif 000007
【図６】
2018019461.tif 000008
【図７】
2018019461.tif 000009
【手続補正書】
【提出日】平成28年9月2日(2016.9.2)
【手続補正１】
【補正対象書類名】明細書
【補正対象項目名】００３７
【補正方法】変更
【補正の内容】
【００３７】
制御部３００は、時刻ｔ１５〜ｔ１６で、再度、第１のパターンの処理を行い、時刻ｔ１７〜ｔ１８で第２のパターンの処理を行う。制御部３００は、第１のパターン及び第２のパターンの終了のタイミングである時刻ｔ１２、ｔ１４、ｔ１６、ｔ１８において、リレー１０２、１０３の導通状態を確認する。導通状態の確認の結果、リレー１０２、１０３が導通不良のままである場合、制御部３００は、エラーが発生したことをユーザに報知（時刻ｔ１９）して導通不良解消モードによる処理を終了する（時刻ｔ２０）。導通状態の確認の結果、リレー１０２、１０３が導通する場合、制御部３００は、導通を確認した時点（時刻ｔ１２、ｔ１４、ｔ１６、ｔ１８）で導通不良解消モードによる処理を終了する（時刻ｔ２０）。このように制御部３００は、第１のパターンの処理と、第２のパターンの処理とを交互に複数回繰り返し行う。
【手続補正２】
【補正対象書類名】明細書
【補正対象項目名】００５２
【補正方法】変更
【補正の内容】
【００５２】
図６は、第２実施形態の導通不良解消モードによる処理のタイミングチャートである。同図において、ＯＮはリレーの閉状態を表し、ＯＦＦはリレーの開状態を表す。制御部３００は、第１実施形態（図４参照）と同様の動作を行う第１のパターン及び第２のパターンをそれぞれ２回ずつ行う（時刻ｔ１１〜ｔ１８）。制御部３００は、２回目の第２のパターンの終了のタイミングである時刻ｔ１８において、リレー１０２、１０３の導通状態を確認する。導通状態の確認の結果、リレー１０２、１０３が導通不良のままである場合、制御部３００は、エラーが発生したことをユーザに報知（時刻ｔ１９）して導通不良解消モードによる処理を終了する（時刻ｔ２０）。導通状態の確認の結果、リレー１０２、１０３が導通する場合、制御部３００は、導通を確認した時点で導通不良解消モードによる処理を終了する（時刻ｔ２０）。このように制御部３００は、第１のパターンの処理と、第２のパターンの処理とを交互に複数繰り返し行う。